(57)【特許請求の範囲】
【請求項１】
設置場所が固定的でかつ留守番機能を有する複数の固定電話装置と、移動可能な１以上の無線電話端末と、前記無線電話端末を収容する無線アクセス装置とからなる電話システムであって、
前記無線アクセス装置は、予め固定電話装置毎に前記無線電話端末のいずれかひとつまたは複数と対応付けて登録する対応テーブルと、前記無線電話端末のいずれかひとつまたは複数が自身の無線エリア内に存在しているか否かを検知する無線電話端末検知手段と、を有し、
前記無線電話端末検知手段が前記無線電話端末のいずれかひとつまたは複数の存在を検知した場合または不存在を検知した場合に、前記対応テーブルから対応する固定電話装置を特定し、当該固定電話装置に存在通知または不存在通知を送信し、
当該固定電話装置は、受信した前記不存在通知に基づいて前記留守番機能を起動し、受信した前記存在通知に基づいて前記留守番機能を停止することを特徴とする電話システム。
【発明の詳細な説明】
【技術分野】
【０００１】
本発明は、電話システムに係り、特に無線電話端末を子機として留守番機能の起動および停止を制御する電話システムに関する。
【背景技術】
【０００２】
通信事業者のネットワークサービスまたは通信端末のサービスとして、伝言機能、留守録機能、転送電話機能を起動または停止し得る電話機がある。これらのサービス制御機能付きの電話機は、各機能を起動および停止する専用ボタンを有するものが多い。しかし、電話機のユーザの外出時などに、ユーザが操作を忘れてしまい、機能を有効に利用できないという問題があった。
【０００３】
また、同様の機能を有するＩＰ電話機において、在席中か離席中かは、ユーザ個人のスケジュールと連動するまたは手動設定が必要である。このＩＰ電話機においても、スケジュールの更新または手動設定を怠ると、高度なプレゼンス機能が活かされないという問題があった。
【０００４】
特許文献１には、留守録機能または転送電話機能を有するディジタルコードレス電話システムの子機を屋外に持ち出して、ＰＨＳとして公衆接続可能な電話システムが記載されている。特許文献１では、充電台を兼ねた親機から子機が持ち出されたことを検出すると、親機は、留守録機能、転送機能等を設定する。逆に、親機に子機が載置されたことを検出すると、留守録機能、転送機能を停止する電話システムである。
【先行技術文献】
【特許文献】
【０００５】
【特許文献１】特開平１０−３２２４４２号公報
【発明の概要】
【発明が解決しようとする課題】
【０００６】
特許文献１では、ユーザが親機の近くに居たとしても、充電台に子機が載置されない限り留守録機能、転送電話機能は、解除されない。特に、子機として汎用の携帯型通信端末を使用するとき、ユーザは充電の必要に迫られていなければ、上着のポケットなどに入れておくものであり、特許文献１が示す効果は薄れる。
【０００７】
また、留守録機能、転送電話機能を使用するユーザ以外のユーザが持つ携帯型通信端末が、充電台に載置された場合それを識別することはできない。この結果、真のユーザの留守録機能、転送電話機能が意図に反して解除されてしまう。
【０００８】
本発明は、懸かる事情に鑑みなされたものであり、固定電話装置と無線電話端末とを含む電話システムにおいて、固定電話装置の伝言機能、留守録機能、転送電話機能等の留守番機能の起動／停止について、無線アクセス装置が予め通知されている固定電話装置と連携する無線電話端末の存在を検知し、固定電話装置に通知する事で制御する電話システムを提供する。
【０００９】
更に無線アクセス装置の無線電話端末存在検知と、固定電話装置に搭載された無線電話端末の給電機能の充電電流検知により、無線電話端末存在検知の範囲を絞ること、および複数のユーザが１台の固定電話装置の留守番機能を使用できるよう、無線電話端末の特定が可能な電話システムを提供する。
【課題を解決するための手段】
【００１０】
上述した課題は、設置場所が固定的でかつ留守番機能を有する複数の固定電話装置と、移動可能な１以上の無線電話端末と、無線電話端末を収容する無線アクセス装置とからなる電話システムであって、無線アクセス装置は、予め固定電話装置毎に無線電話端末のいずれかひとつまたは複数と対応付けて登録する対応テーブルと、無線電話端末のいずれかひとつまたは複数が自身の無線エリア内に存在しているか否かを検知する無線電話端末検知手段と、を有し、無線電話端末検知手段が無線電話端末のいずれかひとつまたは複数の存在を検知した場合または不存在を検知した場合に、対応テーブルから対応する固定電話装置を特定し、当該固定電話装置に存在通知または不存在通知を送信し、当該固定電話装置は、受信した不存在通知に基づいて留守番機能を起動し、受信した存在通知に基づいて留守番機能を停止する電話システムにより、達成できる。
【発明の効果】
【００１１】
本発明によれば、携帯電話機などの汎用の無線電話機を携行して外出もしくは離席した場合に、自動的にユーザが設定した留守番機能を起動でき、また逆に外出から戻ったときに特別な操作やアクションをせずに、自動的に留守番機能を解除できる電話システムを提供できる。
【図面の簡単な説明】
【００１２】
【図１】電話システムのブロック図である。
【図２】固定電話装置の機能ブロック図である。
【図３】留守番機能対応テーブルを説明する図である。
【図４】無線アクセス装置の機能ブロック図である。
【図５】固定電話装置／無線電話端末対応テーブルを説明する図である。
【図６】固定電話装置と無線アクセス装置と無線ＬＡＮとの間の処理シーケンス図である。
【図７】固定電話装置の無線電話端末登録処理のフローチャートである。
【図８】無線アクセス装置の無線電話端末登録処理のフローチャートである。
【図９】固定電話装置の留守番機能起動、停止処理を示すフローチャートである。
【図１０】無線アクセス装置の無線電話端末検知処理フローチャートである。
【図１１】電話システムのブロック図である。
【図１２】固定電話装置の機能ブロック図である。
【図１３】固定電話装置と無線アクセス装置と無線ＬＡＮとの間の処理シーケンス図である。
【図１４】固定電話装置の留守番機能起動、停止処理のフローチャートである。
【図１５】無線アクセス装置の無線電話端末検知処理フローチャートである。
【図１６】固定電話装置と無線アクセス装置と無線ＬＡＮとの間の処理シーケンス図である。
【図１７】固定電話装置の留守番機能起動、停止処理のフローチャートである。
【図１８】無線アクセス装置の無線電話端末存在検知処理のフローチャートである。
【発明を実施するための形態】
【００１３】
以下本発明の実施の形態について、実施例を用い図面を参照して説明する。なお、実質同一部位には同じ参照番号を振り、説明は繰り返さない。
【実施例１】
【００１４】
まず、図１を参照して、システム構成を説明する。ここで、図１は電話システムのブロック図である。図１において、電話システム３００は、ＷＡＮ５０に接続されたＬＡＮ６０と、ＬＡＮ６０にさらに接続された無線アクセス装置２０と、留守番電話機能を有する固定電話装置１０と、無線アクセス装置２０と無線接続された無線電話端末３０とから構成される。
【００１５】
なお、固定電話装置１０は、ＷＡＮ５０上またはＬＡＮ６０上の呼制御サーバ（図示せず）に接続し、他の電話装置と、この呼制御サーバの呼接続／呼切断により、通信をする。携帯電話端末３０は、無線ＬＡＮ機能付きであり、８０２．１１ｎ等の通信プロトコルを用いて、無線アクセス装置２０と無線ＬＡＮ通信する。また、固定電話装置１０は無線アクセス装置２０の通信エリア内に配置される。また固定電話装置１０の本体が通信エリア内にあればコードレスであってもよい。
【００１６】
図２を参照して、固定電話装置を説明する。ここで、図２は固定電話装置の機能ブロック図である。図２において、固定電話装置１０は、ＬＡＮとの通信全般を制御する通信部１０１と、発着信など電話機能全般を制御する電話機能部１０７と、ＬＣＤ、ＬＥＤ表示、音声入出力、キー入力を行うマンマシンインタフェース１０８と、連携させる無線電話端末３０のアドレスを登録する無線電話端末登録部１０６と、ユーザ毎に設定されるユーザＩＤと留守番機能、連携する無線電話端末３０を関連付ける留守番機能対応テーブル１０９と、無線アクセス装置２０に連携させる無線電話端末３０を通知する無線電話端末通知部１０５と、無線アクセス装置２０からの無線電話端末存在／不在通知を受信し、留守番機能起動／停止制御部１０３に通知する無線電話端末存在／不在通知受信部１０２と、無線電話端末存在／不在通知の情報から、留守番機能対応テーブル記憶部１０９を参照し、該当するユーザの留守番機能の起動／停止を制御する留守番機能起動／停止制御部１０３と、留守録機能や伝言、転送などを実行する留守番機能部１０４とから構成される。
【００１７】
なお、留守番機能対応テーブル１０９は、一台の固定電話装置を複数のユーザが共有して使用する場合に必要となる。このとき、発信側の通信相手に対しては、予めユーザＩＤを知らせておくか、音声案内により通信相手がユーザを指定することで、特定のユーザの留守番機能を利用する。
【００１８】
図３を参照して、留守番機能対応テーブルを説明する。ここで、図３は留守番機能対応テーブルを説明する図である。図３において、留守番機能対応テーブル１０９は、各ユーザのＩＤ１０９１と、ユーザＩＤに対応させる無線電話端末３０のアドレス１０９２と、留守録機能を有効にするとき有効を設定する留守番機能１０９３と、伝言機能を有効にするとき有効を設定する伝言機能１０９４と、転送機能を有効にするとき有効を設定する転送機能１０９５と、転送先の電話番号１０９６とから構成される。
【００１９】
なお、この留守番機能対応テーブル１０９は、各ユーザが固定電話装置１０に設定する。また、留守番機能は、図３で説明した伝言機能、留守録機能、転送電話機能に限らず、使用禁止機能等ユーザが留守のときの各種機能を意味する。
【００２０】
図４を参照して、無線アクセス装置を説明する。ここで、図４は無線アクセス装置の機能ブロック図である。図４において、無線アクセス装置２０は、ＬＡＮ６０との通信制御全般を行う有線通信部２０１と、無線の通信制御全般を行う無線通信部２０７と、無線とＬＡＮ６０との間のデータブリッジを行うブリッジ部２０６と、固定電話装置／無線電話端末対応テーブル（単に、対応テーブルとも呼ぶ）２０３と、固定電話装置１０からの連携する無線電話端末３０のアドレスなどの通知を受信し、固定電話装置／無線電話端末対応テーブル２０３に固定電話装置１０のアドレスと共に登録する無線電話端末通知受信部２０２と、固定電話装置／無線電話端末対応テーブル２０３のテーブルを参照して、固定電話装置１０と連携する無線電話端末３０の存在を検知する無線電話端末存在検知部２０４と、無線電話端末存在検知部２０４で検知した結果を固定電話装置に通知する無線電話端末存在／不在通知部２０５とから構成される。
【００２１】
図５を参照して、固定電話装置／無線電話端末対応テーブルを説明する。ここで、図５は固定電話装置／無線電話端末対応テーブルを説明する図である。図５において、固定電話装置／無線電話端末対応テーブル２０３は、固定電話装置１０のアドレスが登録される固定電話装置アドレス２０３１と、固定電話装置２０と連携する無線電話機３０端末のアドレス２０３２から構成される。
【００２２】
図６を参照して、固定電話装置と無線アクセス装置と無線ＬＡＮとの間の処理シーケンスを説明する。ここで、図６は固定電話装置と無線アクセス装置と無線ＬＡＮとの間の処理シーケンス図である。図６において、無線ＬＡＮ４０に予め無線電話端末３０が存在し、無線アクセス装置２０に帰属していることを前提とする。
【００２３】
固定電話装置１０は、連携する無線電話端末３０が登録されると、無線電話端末３０通知を、固定電話装置１０と登録された無線電話端末３０のアドレスと共に無線アクセス装置２０に送信する（Ｓ１００）。なお、１台の固定電話装置１０に、ユーザ毎の異なる無線電話端末３０が登録されたとき、その都度ステップ１００が実行される。また、固定電話装置１０には、連携する無線電話端末３０に留守番機能が設定されたとする。
【００２４】
無線アクセス装置２０は、対応テーブル２０３に固定電話装置１０のアドレスに対応付けて無線電話端末３０のアドレスを登録する（Ｓ１０１）。無線アクセス装置２０は、無線によって無線電話端末３０の存在検知を開始する（Ｓ１０３）。なお、ここではＳＩＰのメッセージを利用しているが、無線電話端末３０からのアドレスを含む返信を検知できるメッセージであればこれに限らない。
【００２５】
無線アクセス装置２０が送信したＯＰＴＩＯＮＳ（Ｓ１０３）は、ＳＩＰユーザエージェントやプロキシサーバの能力を問い合わせるメソッドである。この問い合わせに対し、無線電話端末３０は、呼が成立しているとき、自身の能力を含む２００ ＯＫを返信する。逆に呼が成立していないとき、無線電話端末３０は、それを示す４８１ call/Transaction Dose Not Existを返信する（Ｓ１０４）。
【００２６】
無線アクセス装置２０は無線電話端末３０からの返信を受信すると、自身の配下に固定電話装置１０と連携している無線電話端末３０が存在していると判断し、該当する固定電話装置１０に無線電話端末存在通知を送信する（Ｓ１０５）。無線アクセス装置２０は、更に無線電話端末３０に対し、定期的に検知を行い無線電話端末存在通知を該当する固定電話装置１０に送信する（Ｓ１０６〜Ｓ１０８）。
【００２７】
ここで、ステップ１０８の後、存在検知の対象となる無線電話端末３０が圏外に流出したとする。無線アクセス装置２０は、ＯＰＴＩＯＮＳ（Ｓ１０９）に対する無線電話端末３０からの返信が所定時間無い事を検知し、固定電話装置１０に無線電話端末不在通知を送信する（Ｓ１１０）。固定電話装置１０は、無線電話端末不在通知を受信すると、予め設定されている留守番機能を起動する（Ｓ１１１）。
【００２８】
なお、複数の無線電話端末３０が対応付けられている場合、無線電話端末不在通知の中に含まれる無線電話端末３０のアドレスからユーザを特定し、そのユーザが設定した留守番機能を起動する。
【００２９】
無線アクセス装置２０は、引き続き、無線電話端末３０に対して検知を繰り返す（Ｓ１１２〜Ｓ１１５）。無線アクセス装置２０は、無線電話端末３０が圏外流出から復帰し、存在を検知すると（Ｓ１１６〜Ｓ１１７）、固定電話装置１０に無線電話端末存在通知を送信する（Ｓ１１８）。固定電話装置１０は、無線電話端末存在通知を受信すると、該当するユーザの起動中の留守番機能を停止する（Ｓ１１９）
以上のように、無線電話端末３０が、無線アクセス装置２０の配下に存在するか否かで、固定電話装置１０の留守番機能を起動／停止することができる。
【００３０】
図７および図８を参照して、固定電話装置および無線アクセス装置への無線電話端末登録処理を説明する。ここで、図７は固定電話装置の無線電話端末登録処理のフローチャートである。図８は無線アクセス装置の無線電話端末登録処理のフローチャートである。
【００３１】
図７において、固定電話装置１０は、無線電話端末が登録されるのを待つ（Ｓ２００：ＮＯ）。登録が行われたとき（Ｓ２００：ＹＥＳ）、固定電話装置１０は、留守番機能対応テーブル１０９へ登録し（Ｓ２０１）、対応する無線アクセス装置２０に、無線電話端末３０のアドレスなどを含む無線電話端末通知を行い（Ｓ２０２）、ステップ２００に戻り次の登録を待つ。
【００３２】
図８において、無線アクセス装置２０は、固定電話装置１０から無線電話端末通知の受信を待つ（Ｓ３００：ＮＯ）。無線電話端末通知を受信したとき（Ｓ３００：ＹＥＳ）、無線アクセス装置２０は、固定電話装置／無線電話端末対応テーブル２０３に固定電話装置１０のアドレスと無線電話端末のアドレスとを対応付けて登録し（Ｓ３０１）、Ｓ３００に戻って次の無線電話端末通知の受信を待つ。
【００３３】
図９を参照して、固定電話装置の留守番機能起動処理と停止処理を説明する。ここで、図９は固定電話装置の留守番機能起動、停止処理を示すフローチャートである。なお、ここでは、ユーザが固定電話装置１０に存在検知に使用する無線電話端末３０のアドレス登録と、留守番機能（留守録、転送などの種別および留守録メッセージや録音時間、転送先などの設定）を事前に行っているものとする。
【００３４】
図９において、固定電話装置１０は、無線アクセス装置２０からの無線電話端末存在または不在通知を待つ（Ｓ４０１：ＮＯ）。無線電話端末存在または不在通知を受信すると（Ｓ４０１：ＹＥＳ）、固定電話装置１０は、無線電話端末３０のアドレスから該当するユーザの留守番機能を選定する（Ｓ４０２）。次に、固定電話装置１０は、存在通知か否かを判定する（Ｓ４０３）。
【００３５】
ステップ４０３で不在通知を受信したとき（ＮＯ）、固定電話装置１０は、該当するユーザの留守番機能が停止しているか否かを判定する（Ｓ４０４）。ステップ４０４で留守番機能が停止しているとき（ＹＥＳ）、固定電話装置１０は、留守番機能を起動し（Ｓ４０５）、ステップ４０１に戻って次の無線電話端末存在／不在通知の受信を待つ。ステップ４０４で留守番機能が起動しているとき（ＮＯ）、固定電話装置１０は、そのままステップ４０１に戻って次の無線電話端末存在／不在通知の受信を待つ。
【００３６】
ステップ４０３で存在通知のとき（ＹＥＳ）、固定電話装置１０は、ステップ４０６で該当するユーザの留守番機能が起動しているか否かを判定する（Ｓ４０６）。ステップ４０６で留守番機能が起動しているとき（ＹＥＳ）、固定電話装置１０は、留守番機能を停止し（Ｓ４０７）、ステップ４０１に戻って次の無線電話端末存在／不在通知の受信を待つ。ステップ４０６で留守番機能が停止しているとき（ＮＯ）、固定電話装置１０は、そのままステップ４０１に戻って次の無線電話端末存在／不在通知の受信を待つ。
【００３７】
図１０を参照して、無線アクセス装置の無線電話端末検知処理を説明する。ここで、図１０は無線アクセス装置の無線電話端末検知処理フローチャートである。図１０において、無線アクセス装置２０は、まず周期タイマをセットする（Ｓ５００）。無線アクセス装置２０は、周期タイマのタイムアウトを待つ（Ｓ５０１：ＮＯ）。周期タイマがタイムアウトしたとき（Ｓ５０１：ＹＥＳ）、無線アクセス装置２０は、固定電話装置／無線電話端末対応テーブル２０３に登録されている無線電話端末３０を選択する（Ｓ５０２）。次に無線アクセス装置２０は、選択した無線電話端末３０のアドレスに対して存在検知パケットを送信する（Ｓ５０３）。無線アクセス装置２０は、無線電話端末３０からＳ５０３の返信パケットを受信したか否かを判定する（Ｓ５０４）。ここで、返信の受信にはタイムアウト時間を設け、タイムアウトまで受信しなかったとき、無線アクセス装置２０は、返信無し（不在）と判断する。
【００３８】
ステップ５０４で返信があったとき（ＹＥＳ）、無線アクセス装置２０は、無線電話端末３０に対応する固定電話装置１０に存在通知を送信し（Ｓ５０５）、対応テーブルに登録の無線電話端末３０全ての検知が終わったか否かを判定する（Ｓ５０７）。ステップ５０７で完了しているとき（ＹＥＳ）、無線アクセス装置２０は、ステップ５００に戻り周期的に上記の処理を繰り返す。ステップ５０７で完了していないとき（ＮＯ）、無線アクセス装置２０は、ステップ５０２に戻り、次の無線電話端末３０の検知を行う。ステップ５０４で無線電話端末３０からの返信が無いとき（ＮＯ）、無線アクセス装置２０は、無線電話端末３０に対応する固定電話装置１０に不在通知を送信し（Ｓ５０６）、ステップ５０７に遷移する。
【実施例２】
【００３９】
まず、図１１を参照して、電話システムの構成を説明する。ここで、図１１は電話システムのブロック図である。図１１において、電話システム３００Ａは、ＷＡＮ５０に接続されたＬＡＮ６０と、ＬＡＮ６０にさらに接続された無線アクセス装置２０と留守番電話機能を有する固定電話装置１０Ａと、無線アクセス装置２０と無線接続された無線電話端末３０と、固定電話装置１０Ａに接続された無線電話端末３０用の充電台７０とから構成される。
【００４０】
実施例１との違いは、固定電話装置１０Ａに図示しない汎用インタフェースが設けられ、汎用インタフェースに接続された無線電話端末３０の充電台７０が追加されている点である。
【００４１】
図１２を参照して、固定電話装置を説明する。ここで、図１２は固定電話装置の機能ブロック図である。図１２において、固定電話装置１０Ａは、ＬＡＮとの通信全般を制御する通信部１０１と、発着信など電話機能全般を制御する電話機能部１０７と、ＬＣＤ、ＬＥＤ表示、音声入出力、キー入力を行うマンマシンインタフェース１０８と、連携させる無線電話端末３０のアドレスを登録する無線電話端末登録部１０６と、充電台７０を介して無線電話端末３０に充電を行う充電部１１０と充電部の充電電流または充電電圧を検出し、留守番機能起動／停止制御部１０３に通知する充電電流／電圧検出部１１１と、無線アクセス装置２０に対して無線電話端末存在検知要求を送信する無線電話端末存在検知要求送信部１１２と、無線アクセス装置２０に連携させる無線電話端末３０を通知する無線電話端末通知部１０５と、無線アクセス装置２０からの無線電話端末存在／不在通知を受信し、留守番機能起動／停止制御部１０３に通知する無線電話端末存在／不在通知受信部１０２と、無線電話端末存在／不在通知の情報から、充電電流／電圧検出部１１１からの通知を参照し、該当するユーザの留守番機能の起動／停止を制御する留守番機能起動／停止制御部１０３と、留守録機能や伝言、転送などを実行する留守番機能部１０４とから構成される。
【００４２】
実施例２の固定電話装置１０Ａと実施例１の固定電話装置１０との差分は、留守番機能対応テーブル１０９の削除と、充電部１１０と充電電流／電圧検出部１１１と無線電話端末存在検知要求送信部１１２との追加である。
【００４３】
図１３を参照して、固定電話装置と無線アクセス装置と無線ＬＡＮとの間の処理シーケンスを説明する。ここで、図１３は固定電話装置と無線アクセス装置と無線ＬＡＮとの間の処理シーケンス図である。図１３において、無線ＬＡＮ４０に予め無線電話端末３０が存在し、無線アクセス装置２０に帰属していることを前提とする。また、固定電話装置１０Ａは、初期において留守番機能を起動しているとする。
【００４４】
固定電話装置１０Ａは、無線電話端末３０が充電台に載置されると、無線電話端末存在検知要求を無線アクセス装置２０に送信する（Ｓ６００）。無線アクセス装置２０は、固定電話装置１０Ａと連携している無線電話端末３０のアドレスを基に無線電話端末３０の存在検知を行う（Ｓ６０１〜Ｓ６０２）。無線電話端末３０から返信があると、無線アクセス装置２０は固定電話装置１０Ａに無線電話端末存在通知を行う（Ｓ６０３）。固定電話装置１０Ａは、無線電話端末存在通知を受信すると、留守番機能を停止する（Ｓ６０４）。
【００４５】
次に固定電話装置１０Ａは、無線電話端末３０が充電台から非載置となったことを検出すると、留守番電話機能を起動する（Ｓ６０５）。
固定電話装置１０Ａに登録済みの無線電話端末３０が無線アクセス装置２０の配下に存在しない状態で、未登録の無線電話端末３０が充電台に載置された場合、固定電話装置１０Ａは同様に無線電話端末存在検出要求を無線アクセス装置２０に送信する（Ｓ６０６）。しかし、無線アクセス装置２０は登録されている無線電話端末３０を検知できないため、無線端末不在通知を固定電話装置１０Ａに送信する（Ｓ６０７、Ｓ６０８）。この結果、固定電話装置１０Ａは、留守番機能を停止しない
このように、無線電話端末３０が固定電話装置１０Ａの近傍に存在するか否かを充電台への載置をもって判断し、かつ固定電話装置１０Ａに登録済みの無線電話端末３０であるか否かを無線アクセス装置２０を経由して検知する。以上で、本来と異なる無線電話端末３０が充電台に載置された場合にも、留守番機能が解除されないようにできる。
【００４６】
図１４を参照して、固定電話装置の留守番機能起動、停止処理を説明する。ここで、図１４は固定電話装置の留守番機能起動、停止処理のフローチャートである。
【００４７】
まず、固定電話装置１０Ａは、充電電流または電圧の変化を待つ（Ｓ７００：ＮＯ）。ステップ７００で変化があったとき（ＹＥＳ）、固定電話装置１０Ａは、無線電話端末３０が充電台に載置されたか、取り外されたのかを判定する（Ｓ７０１）。ステップ７０１で載置のとき（ＹＥＳ）、固定電話装置１０Ａは、無線電話端末検知要求通知を無線アクセス装置２０に送信する（Ｓ７０２）。次に、固定電話装置１０Ａは、無線アクセス装置２０からの無線電話端末存在／不在通知を待つ（Ｓ７０３：ＮＯ）。
【００４８】
ステップ７０３で無線電話端末存在／不在通知を受信したとき（ＹＥＳ）、固定電話装置１０Ａは、存在通知か否かを判定する（Ｓ７０４）。ステップ７０４で、存在通知のとき（ＹＥＳ）、固定電話装置１０Ａは、留守番機能が停止か否かを判定する（Ｓ７０５）。
【００４９】
ステップ７０５で留守番機能が起動しているとき（ＹＥＳ）、固定電話装置１０Ａは、留守番機能を停止し（Ｓ７０６）、ステップ７００に戻り、充電電流の変化を待つ。ステップ７０６で留守番機能が停止しているとき（ＮＯ）、固定電話装置１０Ａは、そのままステップ７００に戻り、充電電流の変化を待つ。
【００５０】
ステップ７０５で不在通知のとき（ＮＯ）、固定電話装置１０Ａは、留守番機能が停止しているか否かを判定する（Ｓ７０７）。ステップ７０７で留守番機能が停止しているとき（ＹＥＳ）、固定電話装置１０Ａは、留守番機能を起動し（Ｓ７０８）、ステップ７００に戻り、充電電流の変化を待つ。ステップ７０７で留守番機能が起動しているとき（ＮＯ）、固定電話装置１０Ａは、そのままステップ７００に戻り、充電電流の変化を待つ。
【００５１】
ステップ７０１で非載置のとき（ＮＯ）、固定電話装置１０Ａは、ステップ７０７に遷移する。
なお、実施例２は、載置された無線電話端末３０を特定することができないため、固定電話装置１０の一台に対して、無線電話端末３０は一つのみ登録する。
【００５２】
図１５を参照して、無線アクセス装置の無線電話端末存在検知処理を説明する。ここで、図１５は無線アクセス装置の無線電話端末検知処理フローチャートである。図１５において、無線アクセス装置２０は、固定電話装置１０からの無線電話端末検知要求の受信を待つ（Ｓ８００：ＮＯ）。ステップ８００で受信したとき（ＹＥＳ）、無線アクセス装置２０は、対応テーブルに登録されている無線電話端末３０を選択し（Ｓ８０１）、無線電話端末検知パケットを送信する（Ｓ８０２）。
【００５３】
次に、無線アクセス装置２０は、無線電話端末３０から返信を受信したか否かを判定する（Ｓ８０３）。ステップ８０３で受信したとき（ＹＥＳ）、無線アクセス装置２０は、無線電話端末３０に対応する固定電話装置１０に存在通知を送信し、ステップ８００に戻って次の無線電話端末検知要求の受信を待つ。ステップ８０３で無線電話端末３０から返信が無いとき（ＮＯ）、無線アクセス装置２０は、無線電話端末３０に対応する固定電話装置１０に不在通知を送信し、ステップ８００に戻って次の無線電話端末検知要求の受信を待つ。
【実施例３】
【００５４】
図１６を参照して、固定電話装置と無線アクセス装置と無線ＬＡＮとの間の処理シーケンスを説明する。図１６は固定電話装置と無線アクセス装置と無線ＬＡＮとの間の処理シーケンス図である。なお、ここで無線ＬＡＮ４０上に予め１台の無線電話端末３０が存在し、無線アクセス装置２０に帰属していたとする。
【００５５】
まず、登録済みの無線電話端末３０が充電台に載置された場合を説明する。
固定電話装置１０Ａは、無線電話端末３０が充電台に載置されると、登録されているユーザを一つ選択して、無線アクセス装置２０へ無線電話端末存在検知要求を、ユーザに対応した無線電話端末３０のアドレスと共に送信する（Ｓ９００）。
【００５６】
無線アクセス装置２０は、無線電話端末存在検知要求を受信すると、検知要求に含まれる無線電話端末３０のアドレスに対し、消費電流が変化するようなデータの送受信を行う（Ｓ９０１〜Ｓ９０２）。ここでは、ＳＩＰのメッセージ送受信を利用するが、消費電流の変化を与えるものであれば良くこの限りでは無い。また、消費電流の変化を確実にするため、メッセージの送受信を何度か繰り返しても良い。
【００５７】
無線アクセス装置２０は、無線電話端末３０の存在検知処理を終了すると固定電話装置１０Ａに存在検知終了通知を送信する（Ｓ９０３）。
【００５８】
固定電話装置１０Ａは、存在検知終了通知を受信すると無線電話端末存在要求を送信してから存在検知終了通知を受信するまで、無線電話端末３０への充電電流または電圧に変化が無いので何も行わない。
【００５９】
固定電話装置１０Ａは、ユーザがｎ個登録されている場合、ｎ個の無線電話端末存在検知要求を送信し、無線アクセス装置２０もｎ個の無線電話端末検知を行う（Ｓ９０４〜Ｓ９０６）。
【００６０】
本シーケンスは、ｎ番目の無線電話端末３０が載置された場合であり、ｎ番目の無線電話端末存在検知で充電電流もしくは電圧の変化が、存在検知終了通知（Ｓ９０８）を受信する前に検知される（Ｓ９０７）。固定電話装置１０Ａは、この結果を受けてユーザｎの留守番機能を停止する（Ｓ９１０）。
【００６１】
次に、未登録の無線電話端末３０が充電台に載置された場合を説明する。
同様に固定電話装置１０Ａは、１〜ｎの無線電話端末存在検知要求を無線アクセス装置２０に送信し、無線アクセス装置２０は１〜ｎの無線電話端末存在検出を行う（Ｓ９１１〜Ｓ９１７）。
【００６２】
この場合、未登録の無線電話端末３０が充電台に載置されているため、無線電話端末存在検知中に充電電流もしくは電圧の変化は検出されない。このため、ユーザの留守番機能停止は行われない
なお、充電電流や電圧は、通常充電時の緩やかな変化と、存在検知時の瞬間的な変化を見極めるため、電流や電圧軸と合わせて時間軸で判定を行うようにする。また、複数の無線電話端末３０が存在した場合についても同様の処理を行う。
【００６３】
このように、充電台に載置された無線電話端末３０が、登録済みの端末であるか否かを確実に判定する事により、未登録の無線電話端末３０が充電台に載置されても留守番機能を停止しないようにできる。
【００６４】
図１７を参照して、固定電話装置の留守番機能起動、停止処理を説明する。ここで、図１７は固定電話装置の留守番機能起動、停止処理のフローチャートである。図１７において、固定電話装置１０Ａは、まず、充電電流または電圧の変化を待つ（Ｓ９５０：ＮＯ）。ステップ９５０で変化があったとき（ＹＥＳ）、固定電話装置１０Ａは、無線電話端末３０か充電台に載置されたか否かを判定する（Ｓ９５１）。
【００６５】
ステップ９５１で載置のとき（ＹＥＳ）、固定電話装置１０Ａは、登録済みのユーザを選択し（Ｓ９５２）、そのユーザに対応した無線電話端末３０のアドレスと共に無線電話端末検知要求を無線アクセス装置２０に送信する（Ｓ９５３）。
【００６６】
次に固定電話装置１０Ａは、無線アクセス装置２０からの存在検知終了通知を待つ（Ｓ９５４）。
【００６７】
ステップ９５４で存在検知終了通知を受信したとき（ＹＥＳ）、固定電話装置１０Ａは、無線電話端末検知要求を送信してから、存在検知終了通知を受信するまでの間に、充電電流または電圧に変化があったか否かを判定する（Ｓ９５５）。
【００６８】
ステップ９５５で変化があったとき（ＹＥＳ）、固定電話装置１０Ａは、選択したユーザに対応した留守番機能を停止する（Ｓ９５６）。
【００６９】
次に、固定電話装置１０Ａは、全てのユーザの無線電話端末３０を検知を終了したか否かを判定する（Ｓ９５７）。ステップ９５７で検知を終了したとき（ＹＥＳ）、固定電話装置１０Ａは、ステップ９５０に戻って、充電電流または電圧の変化を待つ。ステップ９５７で検知を終了していないとき、固定電話装置１０Ａは、ステップ９５２で次の登録済みユーザを選択して、それ以降の処理を繰り返す。
【００７０】
ステップ９５５で充電電流または電圧に変化が無かったとき（ＮＯ）、固定電話装置１０Ａは、ステップ９５６の処理を行わないで、ステップ９５７に遷移する。
【００７１】
ステップ９５１で、無線電話端末３０が非載置となったとき（ＮＯ）、固定電話装置１０Ａは、全てのユーザの留守番機能を起動し（Ｓ９５８）、ステップ９５０に戻って、充電電流または電圧の変化を待つ。
【００７２】
図１８を参照して、無線アクセス装置の無線電話端末存在検知処理を説明する。ここで、図１８は無線アクセス装置の無線電話端末存在検知処理のフローチャートである。図１８において、無線アクセス装置２０は、まず、固定電話装置１０からの無線電話端末存在検知要求の受信を待つ（Ｓ９８０：ＮＯ）。ステップ９８０で無線電話端末存在検知要求を受信したとき（ＹＥＳ）、無線アクセス装置２０は、無線電話端末存在検知要求に含まれる無線電話端末３０のアドレスに対し、検知処理を行う（Ｓ９８１）。
【００７３】
存在検知処理（Ｓ９８１）が終了すると、無線アクセス装置２０は、固定電話装置１０に存在検知終了通知を送信し（Ｓ９８２）、ステップ９８０に戻って次の無線電話端末存在検知要求の受信を待つ。
【００７４】
実施例３に拠れば、充電台に載置された無線電話端末が固定電話装置に登録済みか判定して、留守番機能を停止することができる。
【符号の説明】
【００７５】
１０…固定電話装置、２０…無線アクセス装置、３０…無線電話端末、４０…無線ＬＡＮ、５０…ＷＡＮ、６０…ＬＡＮ、７０…充電台、１０１…通信部、１０２…無線電話端末存在／不在通知受信部、１０３…留守番電話機能起動／停止制御部、１０４…留守番機能部、１０５…無線電話端末通知部、１０６…無線電話端末登録部、１０７…電話機能部、１０８…マンマシンインタフェース、１０９…留守番機能対応テーブル、１１０…充電部、１１１…充電電流／電圧検出部、２０１…有線通信部、２０２…無線電話端末通知受信部、２０３…固定電話装置／無線電話端末対応テーブル、２０４…無線電話端末存在検出部、２０５…無線電話端末存在／不在通知部、２０６…ブリッジ部、２０７…無線通信部、３００…電話システム。
【図１】
0005435090.tif 000002
【図２】
0005435090.tif 000003
【図３】
0005435090.tif 000004
【図４】
0005435090.tif 000005
【図５】
0005435090.tif 000006
【図６】
0005435090.tif 000007
【図７】
0005435090.tif 000008
【図８】
0005435090.tif 000009
【図９】
0005435090.tif 000010
【図１０】
0005435090.tif 000011
【図１１】
0005435090.tif 000012
【図１２】
0005435090.tif 000013
【図１３】
0005435090.tif 000014
【図１４】
0005435090.tif 000015
【図１５】
0005435090.tif 000016
【図１６】
0005435090.tif 000017
【図１７】
0005435090.tif 000018
【図１８】
0005435090.tif 000019